(57)【特許請求の範囲】
【請求項１】
電話に割り当てられたディレクトリ番号宛のユーザからの通信メッセージを通信ネットワークから受信するように動作可能な制御システムであって、前記電話がウェブベースのソーシャルネットワーキングサービスのメンバによって操作され、前記通信メッセージは前記電話において複数の他の電話から受信され、前記制御システムは、前記通信ネットワークを介して前記電話により受信された前記通信メッセージを収集するように更に構成されている、制御システムと、
前記ソーシャルネットワーキングサービスに関するウェブサイトの一部として、収集された前記通信メッセージを前記メンバに表示するために、通信メッセージングページを提供し、前記制御システムからの入力に基づいて、前記ソーシャルネットワーキングサービスの別のメンバに関連しない前記ディレクトリ番号宛の通信メッセージと、前記ソーシャルネットワーキングサービスの別のメンバに関連する前記ディレクトリ番号宛の通信メッセージとを識別し、別のメンバに関連する前記通信メッセージを前記通信メッセージングページ内で強調表示するように動作可能なユーザインターフェースと
を有することを特徴とする通信メッセージングシステム。
【請求項２】
前記制御システムが、前記通信メッセージングページを介して前記メンバから、前記通信メッセージのうち選択された１つの通信メッセージに応答するための命令を受信して、前記選択された通信メッセージを送信した、前記通信ネットワーク内のネットワーク要素を識別して、前記通信メッセージングページを介して前記メンバから入力を受信して、前記入力に基づいて、応答メッセージを前記ネットワーク要素に送信するようにさらに動作可能な
請求項１に記載の通信メッセージングシステム。
【請求項３】
前記制御システムが、前記通信メッセージングページを介して前記メンバから、前記通信メッセージのうちの選択された１つの通信メッセージを転送するための命令を受信して、前記選択された通信メッセージを送信した、前記通信ネットワーク内のネットワーク要素を識別して、前記通信メッセージングページを介して前記メンバから入力を受信して、前記入力に基づいて、転送メッセージを前記ネットワーク要素に送信するようにさらに動作可能な
請求項１に記載の通信メッセージングシステム。
【請求項４】
前記制御システムが、前記通信メッセージングページを介して前記メンバから、前記通信メッセージのうちの選択された１つの通信メッセージを削除するための命令を受信して、前記選択された通信メッセージを記憶する、前記通信ネットワーク内のネットワーク要素を識別して、削除コマンドを前記ネットワーク要素に送信するようにさらに動作可能な
請求項１に記載の通信メッセージングシステム。
【請求項５】
前記制御システムが、前記通信メッセージングページを介して前記メンバから、新しい通信メッセージを作成するための命令を受信して、前記新しい通信メッセージを処理する、前記通信ネットワーク内のネットワーク要素を識別して、前記通信メッセージングページを介して前記メンバから前記新しい通信メッセージに関する入力を受信して、前記入力に基づいて、前記新しい通信メッセージを前記ネットワーク要素に送信するようにさらに動作可能な
請求項１に記載の通信メッセージングシステム。
【請求項６】
電話に割り当てられたディレクトリ番号宛のユーザからの通信メッセージを通信ネットワークから受信するステップであって、前記電話が、ウェブベースのソーシャルネットワーキングサービスのメンバによって操作され、前記通信メッセージは前記電話において複数の他の電話から受信される、受信するステップと、
前記通信ネットワークを介して前記電話により受信された前記通信メッセージを収集するステップと、
前記ソーシャルネットワーキングサービスに関するウェブサイトの一部として、前記通信メッセージを前記メンバに表示するための通信メッセージングページを提供するステップと、
前記ソーシャルネットワーキングサービスの別のメンバに関連しない前記ディレクトリ番号宛の通信メッセージと、前記ソーシャルネットワーキングサービスの別のメンバに関連する前記ディレクトリ番号宛の通信メッセージとを識別するステップと、
別のメンバに関連する前記通信メッセージを前記通信メッセージングページ内で強調表示するステップと
を有することを特徴とする方法。
【請求項７】
前記通信メッセージングページを介して前記メンバから、前記通信メッセージのうちの選択された１つの通信メッセージに応答するための命令を受信するステップと、
前記選択された通信メッセージ送信した、前記通信ネットワーク内のネットワーク要素を識別するステップと、
前記通信メッセージングページを介して前記メンバから入力を受信するステップと、
前記入力に基づいて、応答メッセージを前記ネットワーク要素に送信するステップと
をさらに含む、請求項６に記載の方法。
【請求項８】
前記通信メッセージングページを介して前記メンバから、前記通信メッセージのうちの選択された１つの通信メッセージを転送するための命令を受信するステップと、
前記選択された通信メッセージを送信した、前記通信ネットワーク内のネットワーク要素を識別するステップと、
前記通信メッセージングページを介して前記メンバから入力を受信するステップと、
前記入力に基づいて、転送メッセージを前記ネットワーク要素に送信するステップと
をさらに含む、請求項６に記載の方法。
【請求項９】
前記通信メッセージングページを介して前記メンバから、前記通信メッセージのうちの選択された１つの通信メッセージを削除するための命令を受信するステップと、
前記選択された通信メッセージを記憶する、前記通信ネットワーク内のネットワーク要素を識別するステップと、
削除コマンドを前記ネットワーク要素に送信するステップと
をさらに含む、請求項６に記載の方法。
【請求項１０】
前記通信メッセージングページを介して前記メンバから、新しい通信メッセージを作成するための命令を受信するステップと、
前記新しい通信メッセージを処理する、前記通信ネットワーク内のネットワーク要素を識別するステップと、
前記通信メッセージングページを介して前記メンバから前記新しい通信メッセージに関する入力を受信するステップと、
前記入力に基づいて、前記新しい通信メッセージを前記ネットワーク要素に送信するステップと
をさらに含む、請求項６に記載の方法。
【発明の詳細な説明】
【技術分野】
【０００１】
本発明は、ソーシャルネットワーキングサービスの分野に関し、詳細には、ソーシャルネットワーキングサービスのウェブサイトによって表示されるメッセージに関する。
【背景技術】
【０００２】
ソーシャルネットワーキングサービスは、共通の関心または活動を共有する人々を結び付けるために使用される。人気のあるソーシャルネットワーキングサービスのいくつかの例は、Ｆａｃｅｂｏｏｋ（登録商標）、Ｔｗｉｔｔｅｒ（商標）、ＭｙＳｐａｃｅ（商標）、およびＬｉｎｋｅｄＩｎ（登録商標）である。大部分のソーシャルネットワーキングサービスは、ウェブベースまたはインターネットベースであり、これは、メンバがウェブサイトを介してソーシャルネットワークサービスにアクセスすることを意味する。ウェブサイトでは、メンバがプロファイルを作成し、そのサービスの他のメンバと対話することができ、これは、本質的に、情報を通信および共有することが可能なメンバのオンラインコミュニティを生み出す。
【０００３】
ソーシャルネットワーキングサービスのメンバは、ウェブサイトを介して限定された形で通信することまたは相互作用することが可能である。例えば、メンバは、ウェブサイトを介したインスタントメッセージング（ＩＭ）経由、ウェブサイトを介した電子メール経由、掲示板経由（すなわち、あるメンバが別のメンバのウェブサイト上にコメントを掲載することができる）など、通信することが可能である。メンバは現在のソーシャルネットワーキングサービスを介して効果的に通信することが可能であるが、メンバは、利用可能でない他の形で通信することを望む場合がある。
【発明の概要】
【課題を解決するための手段】
【０００４】
本明細書で説明される実施形態は、ソーシャルネットワーキングサービスのメンバが、ソーシャルネットワーキングウェブサイトを介してテレコムタイプのメッセージを受信できるように、通信（テレコム）メッセージングをソーシャルネットワーキングサービスと統合する。例えば、メンバがソーシャルネットワーキングウェブサイト上で自らのアカウントにログインするとき、そのメンバは、ボイスメールメッセージ、テキスト（マルチメディア）メッセージ、通話履歴、ネットワークベースのアドレスブック、または他のタイプのテレコムメッセージを閲覧することが可能である。これにより、ソーシャルネットワーキングウェブサイトは、単なるＩＭおよび電子メールの代わりに、より包括的な通信体験をメンバに提供する。
【０００５】
一実施形態は、ソーシャルネットワーキングサービスを用いて実施されるテレコムメッセージングシステムを含む。テレコムメッセージングシステムは、電話に割り当てられたディレクトリ番号に関連するテレコムメッセージをテレコムネットワークから受信するように動作可能な制御システムを含む。電話は、ウェブベースのソーシャルネットワーキングサービスのメンバによって操作される。テレコムメッセージングシステムは、ソーシャルネットワーキングサービスに関するウェブサイトの一部としてテレコムメッセージをメンバに表示するために、テレコムメッセージングページを提供するように動作可能なユーザインターフェースをさらに含む。これにより、メンバは、ソーシャルネットワーキングサービスが提供されたテレコムメッセージングページを介して、ボイスメールメッセージ、テキストメッセージ、通話履歴などのテレコムメッセージを閲覧することが可能である。
【０００６】
別の実施形態では、制御システムは、テレコムメッセージングページを介してメンバから、テレコムメッセージのうちの選択された１つのテレコムメッセージに応答するための命令を受信して、その選択されたテレコムメッセージを送信した、テレコムネットワーク内のネットワーク要素を識別して、テレコムメッセージングページを介してメンバから入力を受信して、その入力に基づいて、応答メッセージをネットワーク要素に送信するようにさらに動作可能である。
【０００７】
別の実施形態では、制御システムは、テレコムメッセージングページを介してメンバから、テレコムメッセージのうちの選択された１つのテレコムメッセージを転送するための命令を受信して、選択されたテレコムメッセージを送信した、テレコムネットワーク内のネットワーク要素を識別して、テレコムメッセージングページを介してメンバから入力を受信して、その入力に基づいて、転送メッセージをネットワーク要素に送信するようにさらに動作可能である。
【０００８】
別の実施形態では、制御システムは、テレコムメッセージングページを介してメンバから、テレコムメッセージのうちの選択された１つのテレコムメッセージを削除するための命令を識別して、選択されたテレコムメッセージを記憶する、テレコムネットワーク内のネットワーク要素を識別して、削除コマンドをネットワーク要素に送信するようにさらに動作可能である。
【０００９】
別の実施形態では、制御システムは、テレコムメッセージングページを介してメンバから、新しいテレコムメッセージを作成するための命令を識別して、新しいテレコムメッセージを処理する、テレコムネットワーク内のネットワーク要素を識別して、テレコムメッセージングページを介してメンバから新しいテレコムメッセージに関する入力を受信して、その入力に基づいて、新しいテレコムメッセージをネットワーク要素に送信するようにさらに動作可能である。
【００１０】
他の例示的な実施形態が下で説明される場合がある。
【００１１】
次に、本発明のいくつかの実施形態が、例としてだけ、添付の図面を参照して説明される。同じ参照番号は、すべての図面の同じ要素または同じタイプの要素を表す。
【図面の簡単な説明】
【００１２】
【図１】１つの例示的な実施形態におけるソーシャルネットワーキング環境を例示する図である。
【図２】１つの例示的な実施形態におけるテレコムメッセージングシステムを例示する図である。
【図３】１つの例示的な実施形態における、ソーシャルネットワーキングサービスを介してテレコムメッセージングを提供する方法を例示する流れ図である。
【図４】１つの例示的な実施形態におけるソーシャルネットワーキングウェブサイト内のテレコムメッセージングページを例示する図である。
【図５】１つの例示的な実施形態における、ソーシャルネットワーキングサービスの別のメンバに関連するテレコムメッセージを強調表示する方法を例示する流れ図である。
【図６】別の例示的な実施形態におけるソーシャルネットワーキングウェブサイト内のテレコムメッセージングページを例示する図である。
【図７】１つの例示的な実施形態における、テレコムメッセージに応答する方法を例示する図である。
【図８】別の例示的な実施形態における、応答ウィンドウを表示するテレコムメッセージングページを例示する図である。
【図９】１つの例示的な実施形態における、テレコムメッセージを転送する方法を例示する流れ図である。
【図１０】別の例示的な実施形態における、転送ウィンドウを表示するテレコムメッセージングページを例示する図である。
【図１１】１つの例示的な実施形態における、テレコムメッセージを削除する方法を例示する流れ図である。
【図１２】別の例示的実施形態における、テレコムメッセージを削除した後のテレコムメッセージングページを例示する図である。
【図１３】１つの例示的な実施形態における、新しいテレコムメッセージを作成する方法を例示する流れ図である。
【図１４】別の例示的な実施形態における、作成ウィンドウを表示するテレコムメッセージングページを例示する図である。
【図１５】１つの例示的な実施形態における、ソーシャルネットワーキングサービスを介してアドレスブックを提供する方法を例示する流れ図である。
【図１６】別の例示的な実施形態におけるソーシャルネットワーキングウェブサイト内のテレコムメッセージングページを例示する図である。
【図１７】別の例示的な実施形態におけるソーシャルネットワーキングウェブサイト内のテレコムメッセージングページを例示する図である。
【図１８】別の例示的な実施形態におけるソーシャルネットワーキングウェブサイト内のテレコムメッセージングページの詳細な例を示す図である。
【図１９】１つの例示的な実施形態におけるテレコムネットワークのネットワーク要素を例示する図である。
【図２０】１つの例示的な実施形態における、ネットワーク要素を操作する方法を例示する図である。
【図２１】１つの例示的な実施形態における、ネットワーク要素からテレコムメッセージをプルする方法を例示する図である。
【発明を実施するための形態】
【００１３】
これらの図面および以下の説明は、本発明の特定の例示的な実施形態を示す。これにより、本明細書において明示的に説明または示されないが、本発明の原理を実施し、本発明の範囲内に含まれる様々な構成を、当業者が考案することができるようになることを理解されたい。さらに、本明細書で説明されるいずれの例も、本発明の原理を理解する助けとなることを目的とし、そのような詳細に列挙された例および条件に対する限定はないものと解釈すべきである。その結果、本発明は、下で説明される特定の実施形態または例に限定されず、請求項およびそれらの均等物によって限定される。
【００１４】
図１は、１つの例示的な実施形態におけるソーシャルネットワーキング環境１００を例示する。ソーシャルネットワーキング環境１００は、一般に、共通の関心を有する複数のメンバが相互作用するのを可能にするウェブベースのソーシャルネットワーキングサービスを提供するネットワークおよびシステムを指す。ソーシャルネットワーキング環境１００は、インターネット１１０など、パケットベースのネットワーク内で実施されるソーシャルネットワーキングサーバ１１２を含む。ソーシャルネットワーキングサーバ１１２は、ソーシャルネットワーキングサービスを提供する１つまたは複数のサーバを表す。ソーシャルネットワーキングサービスの一環として、ソーシャルネットワーキングサーバ１１２は、１つまたは複数のソーシャルネットワーキングウェブサイト１１４を生成する。ウェブサイト１１４は、メンバのグループに関するホームウェブページ、個々のメンバに関するホームウェブページなどを表すことが可能である。
【００１５】
図１は、ソーシャルネットワーキングサービスのメンバ１２０を示す。メンバ１２０は、コンピュータ（すなわち、ＰＣ）１２２を介してソーシャルネットワーキングサービスにアクセスすることが可能である。メンバ１２０は、この実施形態では、モバイル電話１２４および陸線電話１２６を有することも可能である。モバイル電話１２４および／または陸線電話１２６は、音声呼出、ボイスメール、テキストメッセージング、マルチメディアメッセージングなどを含むテレコムサービスをメンバ１２０に提供するために、テレコムネットワーク１３０に接続する。当業者は、メンバ１２０は、モバイル電話１２４および／または（適切に動作可能にされた場合）陸線電話１２６を介してソーシャルネットワーキングサービスにアクセスすることも可能であることを理解するであろう。
【００１６】
テレコムネットワーク１３０は、公衆電話通信ネットワーク（ＰＳＴＮ）、ＣＤＭＡ（モバイル）ネットワーク、またはＧＳＭ（登録商標）（モバイル）ネットワークなど、回路ベースのネットワークを含むことが可能である。テレコムネットワーク１３０は、あるいは、ＩＰマルチメディアサブシステム（ＩＭＳ）ネットワークなど、パケットベースのネットワークを含むことも可能である。テレコムネットワーク１３０は、説明を簡潔にするために示されない様々なネットワーク要素を含むことが可能であるが、図１は、ボイスメールサーバ１３２と、メッセージセンタ１３４と、アドレスブックサーバ１３６と、ロケーションサーバ１３８とを示す。
【００１７】
ボイスメールサーバ（ＶＭＳ）１３２は、ボイスメールメッセージを収集して記憶するように動作可能な任意のサーバまたはノードを含む。メッセージセンタ１３４は、テレコムネットワーク１３０内でテキストメッセージを処理するように動作可能な任意のサーバまたはノードを含む。テキストメッセージングの一例は、デバイス同士の間で短いテキストメッセージ（すなわち、１６０文字）を交換することを可能にする通信プロトコルであるショートメッセージサービス（ＳＭＳ）である。本明細書で使用される場合、「テキストメッセージ」という用語は、テキストだけのメッセージを指し、画像、ビデオ、音声コンテンツなど、マルチメディアメッセージも指す。テキストだけのメッセージは、ＳＭＳプロトコルを使用して送信されることが可能であり、一方、マルチメディアメッセージは、マルチメディアサービス（ＭＭＳ）プロトコルを使用して送信されることが可能である。アドレスブックサーバ１３６は、メンバ１２０に関するネットワークベースのアドレスブックを記憶するように動作可能な任意のサーバまたはノードを含む。ロケーションサーバ１３８は、メンバ１２０のモバイルデバイス１２４など、モバイルデバイスの位置を決定するように動作可能な任意のサーバまたはノードを含む。
【００１８】
本明細書で提供される実施形態では、テレコムメッセージングシステム１１６は、ソーシャルネットワーキングサービス内の通信機能を強化するために追加されている。ハイレベルでは、テレコムメッセージングシステム１１６は、ボイスメールサーバ１３２、メッセージセンタ１３４、アドレスブックサーバ１３６、ロケーションサーバ１３８などとメッセージを交換して、ソーシャルネットワーキングウェブサイト１１４を介してテレコムメッセージをメンバ１２０に表示することが可能である。既に述べたように、ソーシャルネットワーキングウェブサイト１１４は、従来、ＩＭ、電子メール、掲示板などの非電話通信だけをメンバに提供した。テレコムメッセージングシステム１１６は、テレコムメッセージを含めるために、ソーシャルネットワーキングウェブサイト１１４を介して通信機能を拡張する。テレコムメッセージは、テレコムネットワーク１３０を介した通信に関する電話メッセージを含む。テレコムメッセージの例は、ボイスメールメッセージ、テキストメッセージ、通話履歴などを含む。
【００１９】
図２は、１つの例示的な実施形態におけるテレコムメッセージングシステム１１６を例示する。テレコムメッセージングシステム１１６は、制御システム２０２とユーザインターフェース２０４とを含む。制御システム２０２は、ソーシャルネットワーキングサービスのメンバに適用可能なテレコムメッセージをテレコムネットワーク１３０から収集するように動作可能な任意のデバイス、構成要素、または要素を含む（図１を参照）。ユーザインターフェース２０４は、ソーシャルネットワーキングサービスの一環として、テレコムメッセージを表示するように動作可能な任意のデバイス、構成要素、または要素を含む。例えば、ユーザインターフェース２０４は、メンバに関するテレコムメッセージを表示するウェブページを生成することが可能である。テレコムメッセージングシステム１１６のより詳細な動作は、図３に例示される。
【００２０】
図３は、１つの例示的な実施形態における、ソーシャルネットワーキングサービスを介してテレコムメッセージングを提供する方法３００を例示する流れ図である。方法３００のステップは、図１のソーシャルネットワーキング環境１００と図２のテレコムメッセージングシステム１１６とを参照して説明されるが、当業者は、方法３００を他のネットワークおよびシステムの形で実行することが可能であることを理解するであろう。本明細書で説明される流れ図のステップは、すべて包括的であるとは限らず、示されない他のステップを含むことが可能である。これらのステップは、代替の順序で実行されてもよい。
【００２１】
ステップ３０２において、制御システム２０２は、電話に割り当てられたディレクトリ番号に関連する１つまたは複数のテレコムメッセージをテレコムネットワーク１３０から受信する。電話は、ソーシャルネットワーキングサービスのメンバ１２０によって操作される。例えば、メンバ１２０のモバイル電話１２４（図１）は、（６３０）５５５−１２３４など、関連するディレクトリ番号を有する。これにより、制御システム２０２は、モバイル電話１２４に割り当てられたディレクトリ番号に関連する１つまたは複数のテレコムメッセージをテレコムネットワーク１３０から受信する。一例として、制御システム２０２は、（６３０）５５５−１２３４に送信されたテキストメッセージを受信することが可能である。制御システム２０２は、（６３０）５５５−１２３４に関して残されたボイスメールメッセージを受信することも可能である。
【００２２】
ステップ３０４において、ユーザインターフェース２０４は、ソーシャルネットワーキングサービスに関するウェブサイト１１４の一部としてテレコムメッセージを表示するために、テレコムメッセージングページ（または、ポータル）を提供する。ユーザインターフェース２０４は、任意の所望される形でテレコムメッセージを表示することが可能である。例えば、ソーシャルネットワーキングウェブサイトは、通常、メンバに関するホームページを含む。このホームページは、テレコムメッセージングシステム１１６によって提供もしくは生成されるテレコムメッセージングページに対するアイコンまたはリンクを含むことが可能である。テレコムメッセージングページは、メンバ１２０に関して受信されたテレコムメッセージを表示する。「テレコムメッセージングページ」という用語は、ユーザインターフェース２０４によって生成される複数のウェブページを指す場合がある。
【００２３】
図４は、１つの例示的な実施形態におけるソーシャルネットワーキングウェブサイト１１４内のテレコムメッセージングページ４００を例示する。この実施形態に示されるように、テレコムメッセージングページ４００は、メンバ１２０によって閲覧可能なディレクトリ番号（６３０）５５５−１２３４に関するテレコムメッセージのリスト４０２を表示する。これにより、メンバ１２０は、モバイル電話１２４を使用してメッセージを閲覧しなければならない代わりに、有利には、ソーシャルネットワーキングウェブサイト１１４を介してそのメンバのテレコムメッセージを閲覧することが可能である。
【００２４】
別の実施形態では、図５〜６に記述されるように、ソーシャルネットワーキングサービスの他のメンバを、テレコムメッセージングページ４００内で強調表示することが可能である。図５は、１つの例示的な実施形態における、ソーシャルネットワーキングサービスの他のメンバに関連するテレコムメッセージを強調表示する方法５００を例示する流れ図である。方法５００のステップは、図１のソーシャルネットワーキング環境１００と図２のテレコムメッセージングシステム１１６とを参照して説明されるが、当業者は、方法５００を他のネットワークおよびシステムの形で実行することが可能であることを理解するであろう。
【００２５】
１つまたは複数のテレコムメッセージをテレコムネットワーク１３０から受信した後で（図３のステップ３０２を参照）、制御システム２０２は、ステップ５０２において、（もしあれば）テレコムメッセージのうちのどれがソーシャルネットワーキングサービスの他のメンバに関連するかを識別する。例えば、テレコムメッセージがソーシャルネットワーキングサービスの別のメンバによって送信された場合、またはソーシャルネットワーキングサービスの別のメンバ宛てであった場合、そのテレコムメッセージは、別のメンバに「関連する」。ステップ５０４において、ユーザインターフェース２０４は、テレコムメッセージングページ４００内の他のメンバに関連するテレコムメッセージを強調表示または強調する。ユーザインターフェース２０４は、任意の所望される形で、テレコムメッセージを強調表示することが可能である。例えば、ユーザインターフェース２０４は、そのテレコムメッセージを異なる色で表示することが可能であり、そのテレコムメッセージを太字で表示することが可能であり、そのテレコムメッセージの隣にアイコンを表示することが可能である、などである。
【００２６】
図６は、別の例示的な実施形態における、ソーシャルネットワーキングウェブサイト１１４内のテレコムメッセージングページ４００を例示する。テレコムメッセージングページ４００は、この場合も、ディレクトリ番号（６３０）５５５−１２３４に関するテレコムメッセージのリスト４０２を表示する。しかし、テレコムメッセージ１およびテレコムメッセージ５は、ソーシャルネットワーキングサービスの別のメンバに関連する（別のメンバから受信されたか、または別のメンバ宛てである）として識別された。したがって、ユーザインターフェース２０４は、テレコムメッセージングページ４００内でこれらのメッセージの隣にアイコン６０２を表示する。アイコン６０２は、ソーシャルネットワーキングサービス内のそのプロファイルからのそのメンバの写真であってよく、または任意の他の所望されるデータであってもよい。
【００２７】
ユーザインターフェース２０４によって表示されたテレコムメッセージングページ４００（図４または６を参照）を介して、メンバ１２０は、様々な機能を実行することが可能である。メンバ１２０は、テレコムメッセージを選択して、そのメッセージの追加の詳細を閲覧することが可能である。メンバ１２０は、テレコムメッセージに応答することが可能である。メンバ１２０は、テレコムメッセージを転送することが可能である。メンバ１２０は、テレコムメッセージを削除することが可能であり、または新しいテレコムメッセージを作成することも可能である。図７〜１４は、テレコムメッセージに関するこれらの機能を実行することを例示する。
【００２８】
図７は、１つの例示的な実施形態における、テレコムメッセージに応答する方法７００を例示する流れ図である。方法７００のステップは、図１のソーシャルネットワーキング環境１００と図２のテレコムメッセージングシステム１１６とを参照して説明されるが、当業者は、方法７００を他のネットワークおよびシステムの形で実行することが可能であることを理解するであろう。
【００２９】
図６において、メンバ１２０は、テレコムメッセージングページ４００内でテレコムメッセージ１を選択し、テレコムメッセージ１に応答するために、やはり、テレコムメッセージングページ４００を介して命令を入力または選択すると仮定する。例えば、メンバ１２０は、テレコムメッセージ１上で右クリックすることができ、これは、そのうちの１つがそのメッセージに応答することである、オプションのリストを提供する。図７において、制御システム２０２は、ステップ７０２において、テレコムメッセージングページ４００を介してメンバ１２０から、選択されたテレコムメッセージ（例えば、テレコムメッセージ１）に応答するための命令を受信する。ステップ７０４において、制御システム２０２は、その選択されたテレコムメッセージを送信した、テレコムネットワーク１３０内のネットワーク要素を識別する。例えば、その選択されたテレコムメッセージがテキストメッセージである場合、制御システム２０２は、制御システム２０２にテキストメッセージを送信した、テレコムネットワーク１３０内のメッセージセンタ１３４を識別する。制御システム２０２は、そのテキストメッセージの発信アドレスフィールドを処理することによってなど、ネットワーク要素を識別するためにその選択されたテレコムメッセージを処理することが可能である。制御システム２０２にテレコムネットワーク１３０内のネットワーク要素に関する識別（すなわち、ネットワークアドレス）を事前提供することも可能である。
【００３０】
ステップ７０６において、制御システム２０２は、テレコムメッセージングページ４００を介してメンバ１２０から入力を受信する。この入力は、メンバ１２０が応答内に含めることを望むテキスト、画像、写真などであってよい。ステップ７０８において、制御システム２０２は、その入力に基づいて、応答メッセージをネットワーク要素に送信する。応答メッセージを送信するとき、制御システム２０２は、ＭＡＰメッセージ、ＡＮＳＩメッセージ、ＳＩＰメッセージなど、テレコムネットワーク１３０向けの適切なシグナリングメッセージ内にその応答メッセージをカプセル化する。制御システム２０２にテレコムネットワーク１３０に関するシグナリングプロトコルを事前提供することが可能であり、または制御システム２０２は、応答メッセージを送信する前に、そのシグナリングプロトコルを動的に決定することが可能である。
【００３１】
図８は、別の例示的な実施形態における、応答ウィンドウ８０２を表示するテレコムメッセージングページ４００を例示する。この実施形態では、テレコムメッセージングページ４００は、メンバ１２０がテレコムメッセージ１に対する応答内にテキストおよび他のデータを入力することを可能にする応答ウィンドウ８０２を表示する。この応答メッセージは、テレコムネットワーク１３０内の適切なネットワーク要素に送信される。ネットワーク要素は、次いで、通常の形でその応答メッセージを宛先に配信することが可能である。
【００３２】
図９は、１つの例示的な実施形態における、テレコムメッセージを転送するための方法９００を例示する流れ図である。方法９００のステップは、図１のソーシャルネットワーキング環境１００と、図２のテレコムメッセージングシステム１１６とを参照して説明されるが、当業者は、方法９００を他のネットワークまたはシステムの形で実行することが可能であることを理解するであろう。
【００３３】
この場合も図６において、メンバ１２０は、テレコムメッセージングページ４００内でテレコムメッセージ２を選択し、テレコムメッセージ２を転送するために、やはり、テレコムメッセージングページ４００を介して命令を入力または選択すると仮定する。例えば、メンバ１２０は、テレコムメッセージ２上で右クリックすることができ、これは、そのうちの１つがメッセージを転送することである、オプションのリストを提供する。図９において、制御システム２０２は、ステップ９０２において、テレコムメッセージングページ４００を介してメンバ１２０から、選択されたテレコムメッセージ（例えば、テレコムメッセージ２）を転送するための命令を受信する。ステップ９０４において、制御システム２０２は、選択されたテレコムメッセージを送信した、テレコムネットワーク１３０内のネットワーク要素を識別する。ステップ９０６において、制御システム２０２は、テレコムメッセージングページ４００を介してメンバ１２０から入力を受信する。ステップ９０８において、制御システム２０２は、その入力に基づいて、転送メッセージをネットワーク要素に送信する。
【００３４】
図１０は、別の例示的な実施形態における、転送ウィンドウ１００２を表示するテレコムメッセージングページ４００を例示する。この実施形態では、テレコムメッセージングページ４００は、テレコムメッセージ２を転送するとき、メンバ１２０が１つまたは複数の宛先、テキスト、および他のデータを入力することを可能にする転送ウィンドウ１００２を表示する。この転送メッセージは、テレコムネットワーク１３０内の適切なネットワーク要素に送信される。ネットワーク要素は、次いで、通常の形でその転送メッセージを宛先に配信することが可能である。
【００３５】
図１１は、１つの例示的な実施形態における、テレコムメッセージを削除する方法１１００を例示する流れ図である。方法１１００のステップは、図１のソーシャルネットワーキング環境１００と図２のテレコムメッセージングシステム１１６とを参照して説明されるが、当業者は、方法１１００は他のネットワークおよびシステムの形で実行することが可能であることを理解するであろう。
【００３６】
この場合も図６において、メンバ１２０は、テレコムメッセージングページ４００内のテレコムメッセージ１を選択し、テレコムメッセージ１を削除するために、やはり、テレコムメッセージングページ４００を介して命令を入力または選択すると仮定する。例えば、メンバ１２０は、テレコムメッセージ１上で右クリックすることができ、これは、そのうちの１つがメッセージを削除することである、オプションのリストを提供する。図１１において、制御システム２０２は、ステップ１１０２において、テレコムメッセージングページ４００を介してメンバ１２０から、選択されたテレコムメッセージ（例えば、テレコムメッセージ１）を削除するための命令を受信する。この命令に応答して、制御システム２０２は、テレコムメッセージングページ４００から選択されたテレコムメッセージを削除することができる。図１２は、別の例示的な実施形態における、テレコムメッセージを削除した後のテレコムメッセージングページ４００を例示する。この実施形態では、テレコムメッセージングページ４００は、既に述べたようにテレコムメッセージを表示するが、テレコムメッセージ１は、リスト４０２から削除されている。
【００３７】
テレコムメッセージがテレコムネットワーク１３０内でも削除されることは有利であろう。例えば、（削除された）テレコムメッセージ１がボイスメールメッセージを表し、そのボイスメールメッセージのコピーがボイスメールサーバ１３２（図１を参照）に記憶されていると仮定する。メンバ１２０がテレコムメッセージングページ４００を介してボイスメールメッセージを聴取して、そのメッセージを削除する場合、そのメッセージは、ボイスメールサーバ１３２からも削除されるべきである。
【００３８】
テレコムネットワーク１３０からテレコムメッセージを削除するために、制御システム２０２は、ステップ１１０４において、選択されたテレコムメッセージを記憶する、テレコムネットワーク１３０内のネットワーク要素を識別する。ステップ１１０６において、制御システム２０２は、削除コマンドをネットワーク要素に送信する。削除コマンドは、ネットワーク要素が記憶装置内にテレコムメッセージを位置特定できるように、メッセージＩＤまたはいくつかの他の情報を含むことが可能である。削除コマンドを送信する前に、制御システム２０２は、メッセージを削除するために、テレコムネットワーク１３０内のネットワーク要素によって使用されるコマンドセットを識別することが可能である。制御システム２０２にテレコムネットワーク１３０に関するコマンドセットを事前提供することが可能であるか、または、制御システム２０２は、削除コマンドを送信する前に、コマンドセットを動的に決定することが可能である。ネットワーク要素は、削除コマンドを受信し、次いで、メモリからテレコムメッセージを削除する。
【００３９】
図１３は、１つの例示的な実施形態における、新しいテレコムメッセージを作成する方法１３００を例示する流れ図である。方法１３００のステップは、図１のソーシャルネットワーキング環境１００と図２のテレコムメッセージングシステム１１６とを参照して説明されるが、当業者は、方法１３００は他のネットワークまたはシステムの形で実行することが可能であることを理解するであろう。
【００４０】
図６では、メンバ１２０は、テレコムメッセージングページ４００を介して新しいテレコムメッセージを作成することを望むと仮定する。例えば、メンバ１２０は、そのうちの１つが新しいテレコムメッセージ（例えば、ＳＭＳメッセージ、ＭＭＳメッセージ）を作成するためである、オプションのリストを表示するために、テレコムメッセージングページ４００上で右クリックすることができる。次いで、メンバ１２０は、新しいメッセージを作成するためのオプションを選択することが可能である。図１３では、ステップ１３０２において、制御システム２０２は、テレコムメッセージングページ４００を介してメンバ１２０から新しいテレコムメッセージを作成するための命令を受信する。ステップ１３０４において、制御システム２０２は、新しいテレコムメッセージを処理する、テレコムネットワーク１３０内のネットワーク要素を識別する。例えば、選択されたテレコムメッセージがテキストメッセージである場合、制御システム２０２は、テキストメッセージを処理する、テレコムネットワーク１３０内のメッセージセンタ１３４を識別する。ステップ１３０６において、制御システム２０２は、テレコムメッセージングページ４００を介してメンバ１２０から新しいテレコムメッセージに関する入力を受信する。ステップ１３０８において、制御システム２０２は、この入力に基づいて、新しいテレコムメッセージをネットワーク要素に送信する。
【００４１】
図１４は、別の例示的な実施形態における、作成ウィンドウ１４０２を表示するテレコムメッセージングページ４００を例示する。この実施形態において、テレコムメッセージングページ４００は、メンバ１２０が新しいテレコムメッセージ内に宛先番号、テキスト、および他のデータを入力することを可能にする作成ウィンドウ１４０２を表示する。この新しいテレコムメッセージは、テレコムネットワーク１３０内の適切なネットワーク要素に送信され、そのネットワーク要素は、次いで、通常の形でその新しいテレコムメッセージを（１つまたは複数の）宛先に配信することが可能である。
【００４２】
上記の実施形態は、テレコムメッセージがソーシャルネットワーキングウェブサイト１１４を介してメンバ１２０にどのように表示され得るかを示した。テレコムメッセージングシステム１１６がメッセージ以外のテレコムタイプ情報を受信する他の実施形態が存在し得る。例えば、メンバ１２０は、テレコムネットワーク１３０内に記憶されたネットワークベースのアドレスブックを有する場合がある。ネットワークベースのアドレスブックは、連絡先と呼ばれる記入項を記憶するために使用されるデータベースである。それぞれの連絡先記入項は、通常、名、姓、郵送先住所、ホームディレクトリ番号、モバイルディレクトリ番号、電子メールアドレスなど、少数の標準フィールドを含む。
【００４３】
図１において、メンバ１２０は、アドレスブックサーバ１３６内にアドレスブックを記憶させている。このアドレスブックは、下で説明されるように、ソーシャルネットワーキングウェブサイト１１４を介してメンバ１２０にとってアクセス可能であり得る。図１５は、１つの例示的な実施形態における、ソーシャルネットワーキングサービスを介してアドレスブックを提供する方法１５００を例示する流れ図である。方法１５００のステップは、図１のソーシャルネットワーキング環境１００と図２のテレコムメッセージングシステム１１６とを参照して説明されるが、当業者は、方法１５００を他のネットワークおよびシステムの形で実行することができる点に留意されよう。
【００４４】
ステップ１５０２において、制御システム２０２は、メンバ１２０に関連するアドレスブックをテレコムネットワーク１３０から受信する。制御システム２０２は、アドレスブックを取り出すためにアドレスブックサーバ１３６に問い合わせることが可能であるか、またはアドレスブックサーバ１３６は、アドレスブックを制御システム２０２に周期的に送信することが可能である。ステップ１５０４において、ユーザインターフェース２０４は、ソーシャルネットワーキングサービスの一環として、アドレスブックを表示するためにテレコムメッセージングページ４００を提供する。
【００４５】
図１６は、別の例示的な実施形態におけるソーシャルネットワーキングウェブサイト１１４内のテレコムメッセージングページ４００を例示する。この実施形態に示されるように、テレコムメッセージングページ４００は、メンバ１２０によって閲覧可能なディレクトリ番号（６３０）５５５−１２３４に関するテレコムメッセージのリスト４０２を表示して、メンバ１２０に関するアドレスブック１６０２も表示する。アドレスブック１６０２は、メンバ１２０によって画定された複数の連絡先を含む。メンバ１２０は、モバイル電話１２４を使用してアドレスブックを閲覧しなければならない代わりに、有利には、ソーシャルネットワーキングウェブサイト１１４を介してそのメンバのアドレスブックを閲覧することが可能である。
【００４６】
テレコムネットワーク１３０からアドレスブック１６０２を受信した（図１５のステップ１５０２を参照）後で、制御システム２０２は、（もしあれば）アドレスブック内の連絡先のうちのどれがソーシャルネットワーキングサービスのメンバを含むかを識別する。ユーザインターフェース２０４は、次いで、ソーシャルネットワーキングサービスのメンバを含む、アドレスブック内の連絡先を強調表示または強調する。例えば、ユーザインターフェース２０４は、連絡先を異なる色で表示することが可能であり、連絡先を太字で表示することが可能であり、連絡先の隣にアイコンを表示することも可能である、などである。
【００４７】
図１７は、別の例示的な実施形態におけるソーシャルネットワーキングウェブサイト１１４内のテレコムメッセージングページ４００を例示する。テレコムメッセージングページ４００は、この場合も、メンバ１２０に関するアドレスブックを表示する。しかし、アドレスブック内の連絡先１および連絡先５は、ソーシャルネットワーキングサービスのメンバであるとして識別された。したがって、ユーザインターフェース２０４は、これらの連絡先の次にアイコン１７０２を表示する。アイコン１７０２は、ソーシャルネットワーキングサービス内のそのプロファイルからのそのメンバの写真であってよく、または任意の他の所望されるデータであってもよい。
【００４８】
制御システム２０２は、テレコムメッセージングページを介してメンバ１２０に位置情報を表示することも可能である。例えば、制御システム２０２は、モバイル電話１２４に関連する位置情報をロケーションサーバ１３８から受信することが可能である。制御システム２０２は、位置情報を取り出すために、ロケーションサーバ１３８に問い合わせることが可能であり、またはロケーションサーバ１３８は、位置情報を制御システム２０２に周期的に送信することが可能である。ユーザインターフェース２０４は、次いで、テレコムメッセージングページ４００を介して位置情報をメンバ１２０に表示することが可能である。この位置情報は、マップの形であってよく、または任意の他の地理的表示であってもよい。
【００４９】
図１８は、別の例示的な実施形態におけるソーシャルネットワーキングウェブサイト１１４内のテレコムメッセージングページ４００の詳細な例を示す。当業者は、図１８は単に１つの例だけを表し、テレコムメッセージングページは他の形をとってよいことを理解するであろう。
【００５０】
図１８に示されるように、テレコムメッセージングページ４００は、複数のタイプのテレコムメッセージを表示する。例えば、テレコムメッセージングページ４００は、ディレクトリ番号（６３０）５５５−９９９９から受信された、未開封のテキストメッセージまたはＳＭＳメッセージを表示する。テレコムメッセージングページ４００は、Ｂｉｌｌ  Ｊｅｎｓｅｎと交換されたテキストメッセージまたはＳＭＳメッセージを表示する。テレコムメッセージングページ４００は、Ｓａｎｄｙ  Ｏｌｓｅｎからの不在着信が２件あること表示する（呼出ログ）。テレコムメッセージングページ４００は、Ｌｉｓａ  ＭｕｎｓｏｎおよびＢｅｔｔｙ  Ｊｏｈｎｓｏｎから受信されたマルチメディアメッセージをさらにまた表示する。メンバ１２０は、これにより、テレコムメッセージングページ４００を介して実質的にいかなるテレコムメッセージも閲覧でき、ソーシャルネットワーキングウェブサイト１１４にログインしている間、自らのモバイル電話１２４を調べる必要がない。これは、ソーシャルネットワーキングウェブサイト１１４内のより高度な通信機能をメンバ１２０に与え、これは、ソーシャルネットワーキングウェブサイト１１４の人気がより高まるにつれて、重要である。
【００５１】
テレコムメッセージングシステム１１６を追加することに加えて、テレコムメッセージがソーシャルネットワーキングウェブサイト１１４を介して表示されることを可能にするために、テレコムネットワーク１３０内の１つもしくは複数のネットワーク要素を修正または拡張することが可能である。図１９は、１つの例示的な実施形態におけるテレコムネットワーク１３０のネットワーク要素１９０２を例示する。ネットワーク要素１９０２は、図１のボイスメールサーバ１３２またはメッセージセンタ１３４を表示する場合があり、または示されない他のネットワーク要素を表示する場合もある。ネットワーク要素１９０２は、記憶システム１９１２と、制御システム１９１４と、ネットワークインターフェース１９１６とを含む。記憶システム１９１２は、データを記憶するように動作可能な任意のメモリ、キャッシュ、または他の記憶機構を含む。制御システム１９１４は、テレコムメッセージのコピーをソーシャルネットワーキングサービスのテレコムメッセージングシステムに送信するように動作可能な任意のデバイス、構成要素、または要素を含む。ネットワークインターフェース１９１６は、テレコムメッセージングシステム１１６と通信するように動作可能な任意のデバイス、構成要素、または要素を含む。例えば、ネットワークインターフェース１９１６は、シンプルメールトランスポートプロトコル（ＳＭＴＰ）インターフェース、ショートメッセージピアツーピア（ＳＭＰＰ）プロトコルインターフェース、ＭＭ７インターフェース、ライトウェイトディレクトリアクセスプロトコル（ＬＤＡＰ）インターフェースなどを含むことが可能である。
【００５２】
図２０は、１つの例示的な実施形態における、ネットワーク要素１９０２を操作する方法２０００を示す。方法２０００のステップは、図１のソーシャルネットワーキング環境１００と図１９のネットワーク要素１９０２とを参照して説明されるが、当業者は、方法２０００は他のネットワークおよびシステムの形で実行することが可能であることを理解するであろう。
【００５３】
ステップ２００２において、制御システム１９１２は、モバイル電話１２４（図１を参照）など、電話のディレクトリ番号に関連するテレコムメッセージを受信する。ステップ２００４において、制御システム１９１２は、そのテレコムメッセージがソーシャルネットワーキングサービスのメンバ１２０に関連するかどうかを決定する。例えば、制御システム１９１２には、記憶システム１９１４内に記憶された、ソーシャルネットワーキングサービスのメンバに関するプロファイルを提供することが可能である。テレコムメッセージが受信されたとき、制御システム１９１２は、テレコムメッセージがソーシャルネットワークサービスのメンバに関連するかどうかを決定するために、テレコムメッセージ内のディレクトリ番号と、メンバのプロファイルとを処理することができる。テレコムメッセージがそのメンバに関連する場合、制御システム１９１２は、ステップ２００６において、テレコムメッセージのコピーを生成する。ステップ２００８において、ネットワークインターフェース１９１６は、テレコムメッセージングシステム１１６がソーシャルネットワーキングウェブサイト１１４を介してテレコムメッセージのコピーを表示できるようにテレコムメッセージのコピーをシステム１１６に送信する。
【００５４】
図２０の実施形態において、ネットワーク要素１９０２は、テレコムメッセージをテレコムメッセージングシステム１１６にプッシュするように動作する。テレコムメッセージングシステム１１６は、図２１にさらに例示される、ネットワーク要素１９０２からテレコムメッセージをプルするように動作することも可能である。
【００５５】
図２１は、１つの例示的な実施形態における、ネットワーク要素１９０２からテレコムメッセージをプルする方法２１００を例示する。方法２１００のステップは、図１のソーシャルネットワーキング環境１００と、図２のテレコムメッセージングシステム１１６とを参照して説明されるが、当業者は、方法２１００は他のネットワークおよびシステムの形で実行することが可能であることを理解するであろう。
【００５６】
ステップ２１０２において、制御システム２０２は、ソーシャルネットワーキングサービスのメンバ１２０によって使用されるテレコムネットワーク１３０を識別する。メンバ１２０は複数のテレコムネットワーク１３０を使用することができるため、制御システム２０２は、方法２１００のステップを、異なるネットワークに関して複数回実行することが可能である。ステップ２１０４において、制御システム２０２は、メンバ１２０に関するテレコムメッセージを処理または記憶するように動作可能な、テレコムネットワーク１３０内の１つもしくは複数のネットワーク要素を識別する。例えば、制御システム２０２は、図１のボイスメールサーバ１３２とメッセージセンタ１３４とを識別することが可能である。ステップ２１０６において、制御システム２０２は、テレコムメッセージに関する要求をネットワーク要素に送信する。テレコムメッセージに関する要求に応答して、制御システム２０２は、図３のステップ３０２に示されるように、ネットワーク要素からテレコムメッセージを受信することになる。テレコムメッセージングシステム１１６は、これにより、メンバ１２０がソーシャルネットワーキングサービスとの自らのアカウントにログインしたときなど、ネットワーク要素からテレコムメッセージをプルする。テレコムメッセージングシステム１１６は、毎分、５分ごとになど、周期的にネットワーク要素からテレコムメッセージをプルすることが可能である。プル動作の頻度は、ネットワーク輻輳、時刻、曜日などの要因に応じて異なってもよい。
【００５７】
図面に示されるまたは本明細書で説明される様々な要素のいずれもハードウェア、ソフトウェア、ファームウェア、またはこれらのいくつかの組合せとして実施されることが可能である。例えば、要素は、専用のハードウェアとして実施されることが可能である。専用のハードウェア要素は、「プロセッサ」、「コントローラ」、またはいくつかの類似の用語で呼ばれる場合がある。プロセッサによって提供されるとき、単一の専用のプロセッサによって、単一の共有プロセッサによって、またはそのうちの一部が共有され得る複数の個々のプロセッサによって、これらの機能を提供することが可能である。さらに、「プロセッサ」または「コントローラ」という用語の明示的な使用は、ソフトウェアを実行できるハードウェアを排他的に指すと解釈されるべきではなく、デジタル信号プロセッサ（ＤＳＰ）ハードウェア、ネットワークプロセッサ、特定用途向け集積回路（ＡＳＩＣ）もしくは他の回路、フィールドプログラマブルゲートアレイ（ＦＰＧＡ）、ソフトウェアを記憶するための読出し専用メモリ（ＲＯＭ）、ランダムアクセスメモリ（ＲＡＭ）、不揮発性記憶装置、論理またはいくつかの他の物理ハードウェア構成要素もしくは物理ハードウェアモジュールを限定なく暗黙的に含むことが可能である。
【００５８】
また、要素は、その要素の機能を実行するために、プロセッサまたはコンピュータによって実行可能な命令として実施されることが可能である。命令のいくつかの例は、ソフトウェア、プログラムコード、およびファームウェアである。その要素の機能を実行するようにプロセッサに指令するためにプロセッサによって実行されたとき、これらの命令は動作可能である。これらの命令は、プロセッサによって可読可能な記憶デバイス上に記憶され得る。これらの記憶デバイスのいくつかの例は、デジタルメモリもしくは固体メモリ、磁気ディスクおよび磁気テープなどの磁気記憶媒体、ハードドライブ、または光学的に読み取り可能なデジタルデータ記憶媒体である。
【００５９】
特定の実施形態が本明細書において説明されたが、本発明の範囲は、それらの特定の実施形態に限定されない。本発明の範囲は、以下の請求項および任意の均等物によって定義される。
【図１】
0005567689.tif 000002
【図２】
0005567689.tif 000003
【図３】
0005567689.tif 000004
【図４】
0005567689.tif 000005
【図５】
0005567689.tif 000006
【図６】
0005567689.tif 000007
【図７】
0005567689.tif 000008
【図８】
0005567689.tif 000009
【図９】
0005567689.tif 000010
【図１０】
0005567689.tif 000011
【図１１】
0005567689.tif 000012
【図１２】
0005567689.tif 000013
【図１３】
0005567689.tif 000014
【図１４】
0005567689.tif 000015
【図１５】
0005567689.tif 000016
【図１６】
0005567689.tif 000017
【図１７】
0005567689.tif 000018
【図１８】
0005567689.tif 000019
【図１９】
0005567689.tif 000020
【図２０】
0005567689.tif 000021
【図２１】
0005567689.tif 000022